(57)【特許請求の範囲】
【請求項１】
前面側に遊技領域が形成された遊技盤に取り付けられた始動入賞口に遊技球が入賞することで、図柄表示装置の図柄が変動し、該図柄表示装置の表示部に表示された図柄が大当りの場合、大当り遊技となる遊技機の遊技部品であって、
各種電装部品を収容可能なベース部材が遊技盤に取り付けられ、該ベース部材は、前方ベース部材と後方ベース部材の２部材から構成され、前記前方ベース部材には前記始動入賞口に遊技球を誘導し、取付傾斜角度によって遊技機の出球率に影響を及ぼすステージ部を有する球誘導手段が設けられ、前記後方ベース部材には前記各種電装部品が収容され、前記後方ベース部材の後面側には、前記各種電装部品に接続されるコネクタが後方から挿通可能なコネクタ挿通部と、前記コネクタを介して前記各種電装部品に接続される各ハーネスがそれぞれ接続される中継基板と、前記各ハーネスを集合させるための配線集合手段とがそれぞれ設けられ、前記後方ベース部材は遊技機の後方から前記前方ベース部材に対して着脱可能なように構成され、前記ベース部材が前記遊技盤に取り付けられた状態において前記各種電装部品を取り外す場合には、前記前方ベース部材を前記遊技盤に取り付けた状態で前記後方ベース部材を取り外すことにより出球率に影響を及ぼす前記ステージ部を有する前記前方ベース部材を前記遊技盤から取り外すことなく前記各種電装部品の着脱が可能なように構成されていることを特徴とする遊技機の遊技部品。
【請求項２】
前記後方ベース部材の前面側には、駆動源取付ベースとセンサ取付ベースとランプ基板取付ベースが設けられ、前記後方ベース部材の後面側には、前記駆動源取付ベース及び前記センサ取付ベースに対応する位置にそれぞれ開口部が形成されていると共に、前記ランプ基板取付ベースに対応する位置に前記コネクタ挿通部が形成されている請求項１に記載の遊技機の遊技部品。
【発明の詳細な説明】
【技術分野】
【０００１】
本発明は、パチンコ遊技機等の遊技機の遊技部品に関し、特に、前面側にランプやモータ等の各種電装部品を取付可能なベース部材を備えた遊技機の遊技部品に関する。
【背景技術】
【０００２】
従来、パチンコ遊技機に代表される遊技機においては、遊技盤の前面側に形成された遊技領域に中央飾り等の各種遊技部品が配設されている。この種の遊技機の遊技部品には、遊技の興趣を高める等の理由から、ランプ等の電飾部品やモータ等の駆動部品等、各種電装部品が取り付けられており、これらの各種電装部品は遊技盤の後面側に配置された制御装置により制御されるようになっている。そして、この制御装置と各種電装部品とはそれぞれハーネスにより接続されるようになっており、各種電装部品に対する接続は、通常、コネクタを介して行なわれている（例えば、特許文献１参照）。
【特許文献１】特開平９−９４３２７号公報
【発明の開示】
【発明が解決しようとする課題】
【０００３】
しかしながら、上記した従来の遊技機の遊技部品では、遊技部品を構成する複数の部材に各種電装部品が取り付けられていると共に、これらの電装部品に対するコネクタの接続箇所が遊技部品の内部にあるため、各種電装部品の交換時又は点検時に、遊技部品全体を遊技機から取り外し、分解する必要があり、その作業に非常に手間が掛かるといった問題があった。
【０００４】
本発明は、上記した課題を解決すべくなされたものであり、各種電装部品の交換作業又は点検作業の簡素化を図ることのできる遊技機の遊技部品を提供しようとするものである。
【課題を解決するための手段】
【０００５】
本発明は、前面側に遊技領域１２が形成された遊技盤５に取り付けられる遊技機の遊技部品８であって、前方ベース部材３１と後方ベース部材３２とを備えており、後方ベース部材３２は、各種電装部品４８，４９，５１，６０，６１，６２，６３，６４，７９，８２，８３を収容可能であると共に、前方ベース部材３１を遊技盤５に取り付けた状態で遊技盤５に対して後方から着脱可能なように構成されていることを特徴とする。
【０００６】
そして、好ましくは、前方ベース部材３１には、受け入れた遊技球３８を所定の流路１０５，１０６に振り分けるステージ部９８が設けられているのがよい。
【発明の効果】
【０００７】
本発明によれば、遊技盤に対して後方から着脱可能な後方ベース部材が設けられており、その後方ベース部材に各種電装部品が収容可能となっているため、各種電装部品の着脱作業は、後方ベース部材のみを遊技機から取り外すことにより行うことができ、遊技部品全体を遊技機から取り外す必要がない。したがって、各種電装部品の保守点検作業或いは交換作業の簡素化を図ることができる。
【０００８】
また、ステージ部が前方ベース部材に設けられている場合には、各種電装部品の着脱作業時に、ステージ部の取付傾斜角度が変わることがなく、遊技機の出球率が変化するおそれがないため、ステージ部の取付傾斜角度の微調整作業を行なう必要がなく、各種電装部品の保守点検作業或いは交換作業の簡素化を図ることができる。
【発明を実施するための最良の形態】
【０００９】
以下、図面を参照しつつ、本発明の実施の形態について説明する。なお、以下の説明では、本発明をパチンコ遊技機の中央飾りに適用した場合について例示して説明する。
【００１０】
先ず、図１及び図２を参照しつつ、パチンコ遊技機の概略構成について説明する。ここで、図１は、パチンコ遊技機のガラス扉と球皿を開放した状態を示す正面図、図２はパチンコ遊技機を示す背面図である。
【００１１】
このパチンコ遊技機は、方形枠状の外枠１と、遊技機の機体となる前枠２とを備えており、前枠２は、外枠１の正面左側上下に設けられたヒンジ金具３ａ，３ｂにより外枠１に対して開閉可能に取り付けられていると共に、外枠１の正面右側に設けられた施錠装置４により閉鎖状態に保持されるようになっている。そして、前枠２には遊技盤５が収容されており、遊技盤５の前面側には、図柄表示装置６の表示部７、中央飾り８、始動入賞口９、大入賞口１０、入賞口１１等の各種遊技部品がそれぞれ配設され、遊技領域１２が形成されている。また、遊技領域１２の最下部には、上記各入賞口９，１０，１１に入賞せずに落下したアウト球を排出させるアウト口１３が設けられており、アウト口１３に集められたアウト球は遊技盤５の裏面側を通って機外に排出されるようになっている。
【００１２】
また、前枠２の正面側には、ガラス扉１４及び球皿１５が開閉可能且つ着脱可能に取り付けられており、これらは施錠装置４及び球皿施錠装置により閉鎖状態に保持されるようになっている。そして、球皿１５の正面右側下部には発射ハンドル１６が設けられており、発射ハンドル１６を正面から見て時計回り方向に回転させることにより、球皿１５から供給された遊技球が遊技領域１２に発射されるようになっている。さらに、遊技盤５の下方には中央部にスピーカ１７が設けられている。
【００１３】
一方、前枠２の背面側には裏セット盤１８が複数（図２では５個）のレバー１９により着脱可能に設けられている。そして、裏セット盤１８の上部中央には図柄表示装置６が設けられるようになっており、図柄表示装置６の背面視左側にはサブ制御装置２０が設けられている。また、図柄表示装置６の下方には主制御装置２１が設けられ、主制御装置２１のさらに下方には払出制御装置２２及び電源装置２３が配設されている。さらにまた、図柄表示装置６の周囲には、背面側から見て時計回り方向に、予備賞球を貯留するためのタンク部材２４、タンク部材２４内に貯留された予備賞球を整列させて流下させるための整列樋部材２５、整列樋部材２５から流下した賞球を球払出装置２６に案内するためのカーブレール部材２７、賞球の払い出し処理を行うための球払出装置２６、球払出装置２６から払い出された球を球皿１５に排出するための球払出経路２８等がそれぞれ配設されている。
【００１４】
次に、図３〜図１０を参照しつつ、本発明の実施の形態に係る中央飾り８について説明する。ここで、図３は本実施の形態に係る中央飾りを遊技盤に取り付ける前の状態を示す正面図、図４は中央飾りを示す分解斜視図、図５は中央飾りを示す正面図、図６は中央飾りの内部構造を示す正面図、図７は中央飾りを示す背面斜視図、図８は中央飾りの内部構造を示す背面図、図９は中央飾りを示す背面図、図１０は中央飾りの動作を示す断面図である。
【００１５】
本実施の形態に係る中央飾り８は、前方ベース部材３１と前方ベース部材３１にビス止め等の固定手段により後方から着脱可能に固定される後方ベース部材３２とから成るベース部材３３と、ベース部材３３に収容される回転駆動機構３４と、回転駆動機構３４の動作により遊技盤５の前面側に沿うように左右両方向に正逆回転可能に設けられる球経路振り分け手段３５と、回転駆動機構３４の前面側に設けられる内カバー体３６と、内カバー体３６及び前方ベース部材３１の各上部を覆うように設けられる外カバー体３７と、球経路振り分け手段３５に遊技球３８を誘導可能なように設けられる球誘導手段３９とを主体に構成されている。そして、この中央飾り８は、遊技盤５に開口された収容孔１０８に前方から嵌設可能となっており、前方ベース部材３１の周縁部に穿設された複数の取付孔４０を介してネジ止め等の固定手段により遊技盤５に固定されるようになっている。
【００１６】
前方ベース部材３１には、前後に扁平な円柱形状の球経路振り分け手段収容部４１が開口されており、球経路振り分け手段収容部４１の最下部には前方に僅かに傾斜する球排出溝４２が形成され、球排出溝４２は始動入賞口９の真上に位置するようになっている。そして、前方ベース部材３１の後面には、取付孔４０に近接して位置決め突起部１０９が形成されており、位置決め突起部１０９は、遊技盤５の収容孔１０８の周囲に形成された位置決め孔１１０（図３参照）に係合可能となっている。これにより、遊技盤５に対する中央飾り８の位置決めを容易に行うことができるため、中央飾り８の遊技盤５への取付作業が簡素化される。
【００１７】
一方、後方ベース部材３２は、ビス止め等の固定手段により前方ベース部材３１に固定されるようになっていると共に、遊技機の後方から前方ベース部材３１に対して着脱可能に設けられている。そして、後方ベース部材３２には、略中央部に矩形の図柄表示装置貫設穴４３が開口されており、図柄表示装置貫設穴４３の上方には、中央にモータ取付ベース４４が形成されていると共にそのモータ取付ベース４４の正面右側にセンサ取付ベース４５が形成されている。また、モータ取付ベース４４の正面左側及びセンサ取付ベース４５の下方には、それぞれ第１ランプ基板取付ベース４６及び第２ランプ基板取付ベース４７が形成されており、第１ランプ基板取付ベース４６及び第２ランプ基板取付ベース４７に第１ランプ基板４８及び第２ランプ基板４９が固定されるようになっている。
【００１８】
また、後方ベース部材３２の図柄表示装置貫設穴４３の下方には、左右振り分け手段係合突部５０が形成されており、その左右振り分け手段係合突部５０は第３ランプ基板取付ベースとしても機能し、左右振り分け手段係合突部５０に第３ランプ基板５１が固定されるようになっている。
【００１９】
さらに、後方ベース部材３２の周縁部には、上下に左右２個ずつ、ローラ体５２，５３が設けられており、そのうち、上側の２個のローラ体５２はねじりバネ５４により内方に付勢されている。また、後方ベース３２には、周縁部に沿って、第４ランプ基板取付ベース５５、第５ランプ基板取付ベース５６、第６ランプ基板取付ベース５７、第７ランプ基板取付ベース５８、第８ランプ基板取付ベース５９がそれぞれ形成されており、第４ランプ基板取付ベース５５、第５ランプ基板取付ベース５６、第６ランプ基板取付ベース５７、第７ランプ基板取付ベース５８、第８ランプ基板取付ベース５９に第４ランプ基板６０、第５ランプ基板６１、第６ランプ基板６２、第７ランプ基板６３、第８ランプ基板６４が固定されるようになっている。
【００２０】
さらにまた、後方ベース部材３２の後面側には、第１〜第８ランプ基板４８，４９，５１，６０，６１，６２，６３，６４の各コネクタ１０７が後方から挿通可能な第１〜第８コネクタ挿通部６５，６６，６７，６８，６９，７０，７１，７２が各第１〜第８ランプ基板４８，４９，５１，６０，６１，６２，６３，６４に対応した位置に形成されていると共に、後述する回転体駆動モータ７９及び第１及び第２フォトセンサ８２，８３のハーネス又はコネクタが後方から挿通可能な第１開口部７３及び第２開口部７４がモータ取付ベース４４及びセンサ取付ベース４５に対応する位置に形成されている。また、後方ベース部材３２の後面側には、図柄表示装置貫設穴４３の側方に第１中継基板取付ベース２９及び第２中継基板取付ベース３０が上下に形成されており、第１中継基板取付ベース２９及び第２中継基板取付ベース３０に第１中継基板７５及び第２中継基板７６を固定されるようになっている。これにより、第１〜第８ランプ基板４８，４９，５１，６０，６１，６２，６３，６４、回転体駆動モータ７９及び第１及び第２フォトセンサ８２，８３に各コネクタ１０７を介して接続された各ハーネス（図示せず）が第１及び第２中継基板７５，７６にそれぞれ集約された後、サブ制御装置２０に接続されるようになっている。さらに、後方ベース部材３２の後面側には、第１配線集合フック７７及び第２配線集合フック７８が突設されており、第１及び第２配線集合フック７７，７８により前記各ハーネスが集合されるようになっている。
【００２１】
回転駆動機構３４は、モータ取付ベース４４に固定される回転体駆動モータ７９と、回転体駆動モータ７９の回転軸に固着される駆動ギア８０と、内周部が駆動ギア８０に歯合すると共に外周部が上下４個のローラ体５２，５３により保持される環状の回転体８１と、センサ取付ベース４５に固定される第１フォトセンサ８２及び第２フォトセンサ８３とを主体に構成されている。
【００２２】
回転体８１には、その内周に沿って鍔状の第１センサ検出片８４が環状に形成され、第１センサ検出片８４には径方向に所要数（図８では５個）の第１スリット孔８５が形成されている。また、第１センサ検出片８４の前面側には環状のギア部（図示せず）が内側に向かって形成されており、このギア部は駆動ギア８０に歯合可能となっている。さらに、第１センサ検出片８４の後面側には環状の第２センサ検出片８６が後方に突設され、第２センサ検出片８６には前後方向に所要数（図８では１２個）の第２スリット孔８７が形成されている。
【００２３】
第１フォトセンサ８２は発光部８８と受光部８９との間を第１センサ検出片８４が通過可能なように外方に向けてセンサ取付ベース３７に固定されており、また、第２フォトセンサ８３はその発光部と受光部との間を第２センサ検出片８６が通過可能なように前方に向けてセンサ取付ベース４５に固定されている。
【００２４】
球経路振り分け手段３５には、前方ベース部材３１の球経路振り分け手段収容部４１の内周面に沿って環状のベース部９０が設けられており、ベース部９０は回転体８１の前面側に固定されるようになっている。そして、ベース部９０の前面側には、所要数（図示では１２個）の第１球受容部９１が間隙部９２を介して前方に突設されていると共に、各間隙部９２と球経路振り分け手段収容部４１の内周面とにより第２球受容部９３が形成されており、球経路振り分け手段３５に第１球受容部９１と第２球受容部９３とが交互に形成されるようになっている。
【００２５】
内カバー体３６は、球経路振り分け手段３５の内周に沿うように外周が円形を成し、上部には回転体駆動モータ７９が遊貫可能な逃げ開口部９４が形成されている。そして、内カバー体３６はネジ止め等の固定手段により後方ベース部材３２に固定され、回転駆動機構３４の回転体駆動モータ７９を除く主要な構成部品の前面側を覆うようになっている。また、内カバー体３６には、逃げ開口部９４の下方に開口部９５が形成されており、開口部９５の上部は図柄表示装置６の視認窓として機能し、開口部９５の下部には後述する左右振り分け手段９９が収容されるようになっている。
【００２６】
球誘導手段３９は、開口部９５の視認窓の左右側方の前方ベース部材３１の前面からその中央側斜め下方の内カバー体３６の前面に渡って取り付けられた左右一対の球流路９６，９７と、各球流路９６，９７の下端に形成された支持溝部１１１，１１２に前端両角部を支持され、開口部９５に略水平姿勢で設けられたステージ部９８と、ステージ部９８の下方に設けられた左右振り分け手段９９とから構成されており、各球流路９６，９７は、前方ベース部材３１及び内カバー体３６にそれぞれビス止め等の固定手段により固定されるようになっている。
【００２７】
ステージ部９８は、略矩形の平面形状を成しており、遊技球３８が転動可能なように僅かに下方に湾曲して形成されている。そして、ステージ部９８の上面には、外側から第１転動面１００、楕円形の第２転動面１０１、円形の中央転動面１０２がそれぞれ形成されており、中央転動面１０２には左右に球導入孔１０３，１０４が穿設されている。
【００２８】
左右振り分け手段９９は、左右振り分け手段係合突部５０に嵌設した状態で開口部９５の下部に収容され、ネジ止め等の固定手段により後方ベース部材３２に固定されるようになっている。そして、左右振り分け手段９９には、中央から左右外方に向かってそれぞれ左側振り分け流路１０５、右側振り分け流路１０６が傾斜して形成されている。
【００２９】
次に、主に図１０を参照しつつ、本実施の形態に係るパチンコ遊技機の動作について説明する。
【００３０】
遊技者により弾球された遊技球３８は、遊技領域３を落下する過程において球流路９６又は９７に入球すると、ステージ部９８に受け入れられ、左右いずれかの球導入孔１０３又は１０４に入球し、左側振り分け流路１０５又は右側振り分け流路１０６に振り分けられる。
【００３１】
その後、遊技球３８は球経路振り分け手段３５の第１球受容部９１又は第２球受容部９３に入球し、この時、球経路振り分け手段２５が正逆いずれの方向に回転していたかによって、遊技球３８は、始動入賞口９の真上から遊技領域１２に落下する始動入賞口９に入賞し易い特定経路、又は、始動入賞口９の斜め上方から遊技領域１２に落下する特定経路より始動入賞口９に入賞し難い一般経路のいずれかを通過するように振り分けられ、出球率の調整が行なわれる。
【００３２】
そして、その遊技球３８が、前記特定流路又は前記一般流路を通って始動入賞口９に入賞すると、図柄表示装置６において図柄の変動表示が開始され、図柄表示装置６の表示部７の図柄が所定の図柄になると判断された場合、遊技はリーチ状態となり、さらにその後、図柄表示装置６の表示部７のすべての図柄が揃うと判断された場合、遊技は通常遊技から特別遊技（大当り遊技）に移行する。
【００３３】
このように特別遊技に突入すると、大入賞口１０が開放され、その大入賞口１０に遊技球３８が入賞した場合には１５球の賞球が遊技者に払い出される。そして、大入賞口１０は、開放してから３０秒経過するか、又は１０球の入賞があるかのいずれかの事象が発生した場合に一旦閉鎖するが、大入賞口１０が開放している間に、特定領域（Ｖゾーン）への入賞があった場合には、大入賞口１０は再度開放され、大入賞口１０が１６ラウンド開放し終えるか、或いは大入賞口１０の開放中に前記特定領域（Ｖゾーン）への入賞がなかった場合に、特別遊技は終了する。
【００３４】
上記したように、本実施の形態によれば、保守点検時等に、第１〜第８ランプ基板４８，４９，５１，６０，６１，６２，６３，６４に対してコネクタ１０７を着脱させる場合、後方ベース部材３２の後面側に第１〜第８コネクタ挿通部６５，６６，６７，６８，６９，７０，７１，７２が形成されているため、中央飾り８を遊技盤５から取り外したり、分解したりすることなく、ベース部材３３の後方から行なうことができる。したがって、第１〜第８ランプ基板４８，４９，５１，６０，６１，６２，６３，６４の保守点検作業が簡素化される。
【００３５】
また、ベース部材３３は前方ベース部材３１と後方ベース部材３２の２部材から構成され、第１〜第８ランプ基板４８，４９，５１，６０，６１，６２，６３，６４、回転体駆動モータ７９、第１及び第２フォトセンサ８３の各種電装部品が後方ベース部材３２に収容されるように構成されており、しかも、取付傾斜角度によって遊技球３８の出球率に影響を及ぼすステージ部９８が各球流路９６，９７の支持溝部１１１，１１２を介して前方ベース部材３１に支持されるようになっている。そのため、これらの各種電装部品自体を中央飾り８に対して着脱させる場合にも、中央飾り８全体を遊技機から取り外す必要がなく、後方ベース部材３２のみを遊技機から取り外すことにより行うことができ、また、各種電装部品を中央飾り８に着脱させる度に、ステージ部９８の取付傾斜角度の微調整作業を行なう必要がなくなる。したがって、各種電装部品の保守点検作業或いは交換作業の簡素化を図ることができる。また、１つの後方ベース部材３２に各種電装部品を集約して収容したことにより、部品点数の削減、及び製造時の金型製作費用の削減が可能となる。
【００３６】
さらに、これらの各種電装部品に接続される各ハーネスは第１及び第２中継基板７５，７６を介してサブ制御装置２０に接続されるようになっているため、サブ制御装置２０まで配線されるハーネスの本数を削減できると共にハーネスの長さを短縮することができ、各種電装部品に対するハーネスの引き回し及び接続作業を簡略化することができる。さらにまた、各種電装部品に対するハーネスの引き回し及び接続作業を行なう場合、第１及び第２配線集合フック７７，７８により各ハーネスを集合させることができ、作業の簡素化が可能となる。
【００３７】
なお、上記した実施の形態において、ベース部材３３は前方ベース部材３１と後方ベース部材３２の２部材から構成されているが、ベース部材３３は、３個以上の部材から構成されていてもよい。
【００３８】
また、上記した実施の形態では、本発明をパチンコ遊技機の中央飾り８に適用した場合について説明したが、これは単なる例示に過ぎず、本発明は、アレンジボール遊技機等、他の遊技機や、中央飾り以外の他の遊技部品に適用することもできる。
【図面の簡単な説明】
【００３９】
【図１】本発明の実施の形態におけるパチンコ遊技機を示す正面図である。
【図２】本発明の実施の形態におけるパチンコ遊技機を示す背面図である。
【図３】本発明の実施の形態に係る中央飾りを遊技盤に取り付ける前の状態を示す正面図である。
【図４】本発明の実施の形態に係る中央飾りを示す分解斜視図である。
【図５】本発明の実施の形態に係る中央飾りを示す正面図である。
【図６】本発明の実施の形態に係る中央飾りの内部構造を示す正面図である。
【図７】本発明の実施の形態に係る中央飾りを示す背面斜視図である。
【図８】本発明の実施の形態に係る中央飾りの内部構造を示す背面図である。
【図９】本発明の実施の形態に係る中央飾りを示す背面図である。
【図１０】本発明の実施の形態に係る中央飾りの動作を示す断面図である。
【符号の説明】
【００４０】
５          遊技盤
８          中央飾り
１２        遊技領域
３１        前方ベース部材
３２        後方ベース部材
３３        ベース部材
３８        遊技球
４８        第１ランプ基板
４９        第２ランプ基板
５１        第３ランプ基板
６０        第４ランプ基板
６１        第５ランプ威版
６２        第６ランプ基板
６３        第７ランプ基板
６４        第８ランプ基板
６５        第１コネクタ挿通部
６６        第２コネクタ挿通部
６７        第３コネクタ挿通部
６８        第４コネクタ挿通部
６９        第５コネクタ挿通部
７０        第６コネクタ挿通部
７１        第７コネクタ挿通部
７２        第８コネクタ挿通部
７５        第１中継基板
７６        第２中継基板
７７        第１配線集合フック
７８        第２配線集合フック
７９        回転体駆動モータ
８２        第１フォトセンサ
８３        第２フォトセンサ
９８        ステージ部
１０５      左側振り分け流路
１０６      右側振り分け流路
１０７      コネクタ
【図１】
0004632293.tif 000002
【図２】
0004632293.tif 000003
【図３】
0004632293.tif 000004
【図４】
0004632293.tif 000005
【図５】
0004632293.tif 000006
【図６】
0004632293.tif 000007
【図７】
0004632293.tif 000008
【図８】
0004632293.tif 000009
【図９】
0004632293.tif 000010
【図１０】
0004632293.tif 000011